(57)【要約】【課題】  燃料電池システムにおいて、システム全体の熱効率の低下を招くことなく、加湿制御の安定性、精度、応答性を向上し、また十分な加湿能力を保持したままでシステムを小型化、低コストとする。【解決手段】  燃料電池システムは、酸化剤ガスを加湿して酸化剤極に供給する加湿器１４を備えている。加湿器１４は、燃料電池１０から排出される排熱および／または改質器２０にて発生する排熱を少なくとも回収した液体である熱媒体が循環する凝縮冷媒循環回路７５上に設けられ、回収した熱を利用して熱媒体を水蒸気化することにより酸化剤ガスを加湿する。【選択図】  図１
2006236758.tif 000002
【特許請求の範囲】
【請求項１】
燃料極および酸化剤極にそれぞれ供給された燃料ガスおよび酸化剤ガスによって発電する燃料電池と、
該燃料電池へ供給する前記燃料ガスを生成する改質器と、
前記酸化剤ガスを加湿して前記酸化剤極に供給する加湿器と、を備えた燃料電池システムにおいて、
前記加湿器は、前記燃料電池から排出される排熱および／または前記改質器にて発生する排熱を少なくとも回収した液体である熱媒体が循環する熱媒体循環回路上に設けられ、回収した熱を利用して前記熱媒体を水蒸気化することにより前記酸化剤ガスを加湿することを特徴とする燃料電池システム。
【請求項２】
請求項１において、
前記燃料電池から排出される排熱および／または前記改質器にて発生する排熱が、前記燃料電池から排出されるオフガス、前記改質器で生成された燃料ガス、前記改質器の燃焼器から排出される燃焼排ガスの少なくとも一つのガス中の水蒸気を凝縮させたときに発生する凝縮熱であることを特徴とする燃料電池システム。
【請求項３】
請求項１において、
前記熱媒体循環回路の前記熱媒体として、前記燃料電池から排出されるオフガス、前記改質器で生成された燃料ガス、前記改質器の燃焼器から排出される燃焼排ガスの少なくとも一つのガスから回収した凝縮水を利用することを特徴とする燃料電池システム。
【請求項４】
請求項１乃至請求項３の何れか一項において、
貯湯水を貯湯する貯湯槽と、
前記熱媒体循環回路とは独立して設けられ、前記貯湯水が循環する貯湯水循環回路と、
前記貯湯水と前記熱媒体との間で熱交換が行われる第１熱交換器と、をさらに備え、
前記熱媒体として純水を使用することを特徴とする燃料電池システム。
【請求項５】
請求項４において、前記熱媒体として当該燃料電池システムで使用される純水を利用し、前記熱媒体循環回路に前記純水が自動的に補給可能な構成となっていることを特徴とする燃料電池システム。
【請求項６】
請求項４において、前記熱媒体循環回路上に、前記燃料電池と熱交換する燃料電池冷却水と前記熱媒体との間で熱交換が行われる第２熱交換器を設けたことを特徴とする燃料電池システム。
【請求項７】
請求項１乃至請求項６の何れか一項において、
前記熱媒体循環回路上に設けられ前記熱媒体を循環する循環手段をさらに備え、
前記循環手段の送出量を制御して、前記熱媒体の温度を目標温度に調整するか、または前記加湿器の前記酸化剤ガスの出口温度を目標温度に調整することにより前記酸化剤ガスを所望の湿度とすることを特徴とする燃料電池システム。
【請求項８】
請求項１乃至請求項７の何れか一項において、
前記熱媒体循環回路上に設けられ前記加湿器をバイパスするバイパス路と、
前記加湿器を流れる前記熱媒体の流量と前記加湿器をバイパスして前記バイパス路を流れる前記熱媒体の流量を調整する流量調整手段とをさらに備えたことを特徴とする燃料電池システム。
【発明の詳細な説明】
【技術分野】
【０００１】
本発明は、燃料極および酸化剤極にそれぞれ供給された燃料ガスおよび酸化剤ガスによって発電する燃料電池と、燃料電池へ供給する燃料ガスを生成する改質器と、酸化剤ガスを加湿して酸化剤極に供給する加湿器と、を備えた燃料電池システムに関する。
【背景技術】
【０００２】
この燃料電池システムとして、燃料極および酸化剤極にそれぞれ供給された燃料ガスおよび酸化剤ガスによって発電する燃料電池と、燃料電池へ供給する燃料ガスを生成する改質器と、酸化剤ガスを加湿して酸化剤極に供給する加湿器と、を備えたものはよく知られている。
【０００３】
このような燃料電池システムの一形式として、特許文献１「燃料電池用加湿システム」に示されているものが知られている。特許文献１の図１に示されているように、燃料電池用加湿システムは、反応に使用される反応ガスを、反応後に排出されるオフガス内の水分により加湿する水分透過型の加湿装置６を備えたものであり、燃料電池１の要求加湿量に応じて加湿量を制御している。また、反応ガス供給路３であって加湿装置６と燃料電池１のガス入口２との間には燃料電池１内に供給される乾燥エアの露点を測定する露点計１９が設けられている。また、加湿装置６を経て燃料電池１に至る反応ガス供給路３に、加湿装置６をバイパスする反応ガスバイパス路２１が設けられている。ここでこの反応ガスバイパス路２１には、反応ガスのバイパス流量を調整可能な流量調整弁２２が取り付けられ、この流量調整弁２２と前記露点計１９と電圧計２０とが制御装置２３を介して接続されている。露点計１９によって測定された露点に基づいて反応ガスバイパス路２１を流れる乾燥空気の量を調整することで加湿装置６に流れる乾燥空気の量を増減させて、常に最適な露点（要求露点）を維持し、燃料電池１内において結露が生じ発電能力が低下しないよう、最適な状態で燃料電池１が作動するのである。
【０００４】
また、他の形式として、特許文献２「燃料電池システム」に示されているものが知られている。特許文献２の図２に示されているように、燃料電池システムは、熱回収用熱媒容器及び酸化剤ガス加湿器を回収容器１で兼用し、燃料電池６で生成した純水を含む燃料電池より排出される酸化剤排気を凝縮器９を介し凝縮水を回収容器１に回収し、同時に燃料電池６の熱回収用の冷却ポンプ１０を常時動作させる事で常に燃料電池６に導入する酸化剤ガスの加湿状態を燃料電池６の温度での水の飽和状態の酸化性ガスとして導入するようになっている。なお、回収容器１内に溜めた凝縮水の中を酸化性ガスをバブリング（気泡状に）して通過させて加湿している。
【０００５】
また、他の形式として、特許文献３「燃料電池のガス加湿システム及びガス加湿方法」に示されているものが知られている。特許文献３の図１に示されているように、燃料電池のガス加湿システムは、燃料電池２２を冷却して得られた温水を用いて反応ガス２０の加湿を行う加湿器２１が備えられている。
【特許文献１】特開２００１−２１６９８４号公報（第３−４頁、第１図）
【特許文献２】特開２００４−１７１９７４号公報（第４−６頁、第２図）
【特許文献３】特開平０９−５５２１８号公報（第２−４頁、第１図）
【発明の開示】
【発明が解決しようとする課題】
【０００６】
上述した特許文献１に記載の燃料電池用加湿システムにおいては、反応に使用される反応ガスを、反応後に排出されるオフガス内の水分により加湿しており、すなわちオフガスが加湿源である。しかし、気体であるオフガスの水蒸気分圧によって加湿能力が決まってしまうため、オフガスの水蒸気分圧が変動すると加湿能力も変動するので、加湿源が不安定となるおそれがあり、ひいては加湿精度、応答性が悪化するおそれがあった。また、加湿装置６をバイパスする反応ガスバイパス路２１、および反応ガスのバイパス流量を調整可能な流量調整弁２２が必要となり、部品点数が増大しコストアップとなるという問題があった。
【０００７】
上述した特許文献２に記載の燃料電池システムにおいては、回収容器１内に溜めた凝縮水の中を酸化性ガスをバブリング（気泡状に）して通過させて加湿しているが、低温の酸化性ガスが供給される場合などこの形式では酸化性ガスが適切に加湿・加温されない場合もあった。また、バブリングのためのエアの圧損が著しく増大し、補機の消費電力が増大しひいては発電効率の低下が考えられる。また、燃料電池６の熱回収用熱媒から熱を奪って酸化性ガスが加湿されるので、それに伴って熱回収用熱媒の温度が低下し燃料電池を適切な温度に制御できなくなり適切に発電できなくなるおそれがあった。
【０００８】
上述した特許文献３に記載の燃料電池のガス加湿システムにおいては、燃料電池２２の冷却水２３から熱を奪って反応ガス２０が加湿されるので、それに伴って冷却水２３の温度が低下し燃料電池２２を適切な温度に制御できなくなり適切に発電できなくなるおそれがあった。しかし、燃料電池のガス加湿システムは、熱交換器２４が備えられているので、加湿器２１で冷却水２３の温度が低下しても熱交換器２４によって加熱され燃料電池２２を適切な温度に制御できるが、その加熱分だけ熱量を損失することとなり、システム全体の熱効率が悪くなるという問題があった。
【０００９】
本発明は、上述した各問題を解消するためになされたもので、燃料電池システムにおいて、システム全体の熱効率の低下を招くことなく、加湿制御の安定性、精度、応答性を向上し、また十分な加湿能力を保持したままでシステムを小型化、低コストとすることを目的とする。
【課題を解決するための手段】
【００１０】
上記の課題を解決するため、請求項１に係る発明の構成上の特徴は、燃料極および酸化剤極にそれぞれ供給された燃料ガスおよび酸化剤ガスによって発電する燃料電池と、この燃料電池へ供給する燃料ガスを生成する改質器と、酸化剤ガスを加湿して酸化剤極に供給する加湿器と、を備えた燃料電池システムにおいて、加湿器は、燃料電池から排出される排熱および／または改質器にて発生する排熱を少なくとも回収した液体である熱媒体が循環する熱媒体循環回路上に設けられ、回収した熱を利用して熱媒体を水蒸気化することにより酸化剤ガスを加湿することである。
【００１１】
また請求項２に係る発明の構成上の特徴は、請求項１において、燃料電池から排出される排熱および／または改質器にて発生する排熱が、燃料電池から排出されるオフガス、改質器で生成された燃料ガス、改質器の燃焼器から排出される燃焼排ガスの少なくとも一つのガス中の水蒸気を凝縮させたときに発生する凝縮熱であることである。
【００１２】
また請求項３に係る発明の構成上の特徴は、請求項１において、熱媒体循環回路の熱媒体として、燃料電池から排出されるオフガス、改質器で生成された燃料ガス、改質器の燃焼器から排出される燃焼排ガスの少なくとも一つのガスから回収した凝縮水を利用することである。
【００１３】
また請求項４に係る発明の構成上の特徴は、請求項１乃至請求項３の何れか一項において、貯湯水を貯湯する貯湯槽と、熱媒体循環回路とは独立して設けられ、貯湯水が循環する貯湯水循環回路と、貯湯水と熱媒体との間で熱交換が行われる第１熱交換器と、をさらに備え、熱媒体として純水を使用することである。
【００１４】
また請求項５に係る発明の構成上の特徴は、請求項４において、熱媒体として当該燃料電池システムで使用される純水を利用し、熱媒体循環回路に純水が自動的に補給可能な構成となっていることである。
【００１５】
また請求項６に係る発明の構成上の特徴は、請求項４において、熱媒体循環回路上に、燃料電池と熱交換する燃料電池冷却水と熱媒体との間で熱交換が行われる第２熱交換器を設けたことである。
【００１６】
また請求項７に係る発明の構成上の特徴は、請求項１乃至請求項６の何れか一項において、熱媒体循環回路上に設けられ熱媒体を循環する循環手段をさらに備え、循環手段の送出量を制御して、熱媒体の温度を目標温度に調整するか、または加湿器の酸化剤ガスの出口温度を目標温度に調整することにより酸化剤ガスを所望の湿度とすることである。
【００１７】
また請求項８に係る発明の構成上の特徴は、請求項１乃至請求項７の何れか一項において、熱媒体循環回路上に設けられ加湿器をバイパスするバイパス路と、加湿器を流れる熱媒体の流量と加湿器をバイパスしてバイパス路を流れる熱媒体の流量を調整する流量調整手段とをさらに備えたことである。
【発明の効果】
【００１８】
上記のように構成した請求項１に係る発明においては、加湿器は、燃料電池から排出される排熱および／または改質器にて発生する排熱を少なくとも回収した熱媒体が循環する熱媒体循環回路上に設けられ、回収した熱を利用して熱媒体を水蒸気化することにより酸化剤ガスを加湿する。これにより、燃料電池の発電による排熱を回収した燃料電池熱媒体から熱を奪うことなく、熱回収効率の低下を招くことなく、燃料電池を適切な温度に制御でき、適切に発電することができるとともに、酸化剤ガスを加湿することができる。また、液体である熱媒体が加湿源となるので、従来のごとく加湿源がオフガスである場合と比べると、水蒸気分圧を極めて高く維持することができるので、水蒸気化する部位の面積を小さくすることができ、装置を小型化することができる。また水蒸気分圧を一定に維持することができるので、加湿性能の精度向上、加湿能力の安定性、応答性向上を図ることができる。
【００１９】
上記のように構成した請求項２に係る発明においては、請求項１に係る発明において、燃料電池から排出される排熱および／または改質器にて発生する排熱が、燃料電池から排出されるオフガス、改質器で生成された燃料ガス、改質器の燃焼器から排出される燃焼排ガスの少なくとも一つのガス中の水蒸気を凝縮させたときに発生する凝縮熱であるので、従来の構成を有効利用することにより大型化することなく簡単な構成かつ確実に凝縮熱を利用して熱媒体を水蒸気化することができる。
【００２０】
上記のように構成した請求項３に係る発明においては、請求項１に係る発明において、熱媒体循環回路の熱媒体として、燃料電池から排出されるオフガス、改質器で生成された燃料ガス、改質器の燃焼器から排出される燃焼排ガスの少なくとも一つのガスから回収した凝縮水を利用することにより、凝縮水を加湿水として利用するので、加湿で使用した水量を各ガス中の水蒸気を凝縮した水量でまかなうことができるため、外部から大量に水を投入することなく加湿が可能となる。
【００２１】
上記のように構成した請求項４係る発明においては、請求項１乃至請求項３の何れか一項に係る発明において、貯湯水を貯湯する貯湯槽と、熱媒体循環回路とは独立して設けられ、貯湯水が循環する貯湯水循環回路と、貯湯水と熱媒体との間で熱交換が行われる第１熱交換器と、をさらに備えることにより、貯湯槽が水道水が直接補給される密閉式である場合、貯湯槽、貯湯水循環回路には高圧の水道水圧がかかるが、熱媒体循環回路は貯湯水循環回路から独立しているため、熱媒体循環回路上に配設される加湿器には直接水道水圧がかからないので、加湿器の寿命を延ばすことができる。また、熱媒体として純水を使用するので、加湿器や燃料電池に不純物や異物が混入することを抑止でき、これによって加湿器や燃料電池の寿命を延ばすことができる。
【００２２】
上記のように構成した請求項５に係る発明においては、請求項４に係る発明において、熱媒体として当該燃料電池システムで使用される純水を利用し、熱媒体循環回路に純水が自動的に補給可能な構成となっているため、加湿によって熱媒体が少なくなったとき、自動的に補給されるので、ユーザが加湿用の液体を補給する手間を省くことができる。
【００２３】
上記のように構成した請求項６に係る発明においては、請求項４に係る発明において、熱媒体循環回路上に、燃料電池と熱交換する燃料電池冷却水と熱媒体との間で熱交換が行われる第２熱交換器を設けたため、燃料電池から排出される排熱および／または改質器にて発生する排熱を少なくとも回収した熱媒体は、燃料電池の発電による排熱をさらに回収するので、より高温の熱媒体となり、この高温の熱媒体を加湿器で利用できる。このため、加湿制御範囲をより拡張し、制御性をより向上することができる。
【００２４】
上記のように構成した請求項７に係る発明においては、請求項１乃至請求項６の何れか一項に係る発明において、熱媒体循環回路上に設けられ熱媒体を循環する循環手段をさらに備え、循環手段の送出量を制御して、熱媒体の温度を目標温度に調整することにより酸化剤ガスを所望の湿度とするので、確実かつ的確に湿度を調整できる。また、既存の構成のままで制御可能であるので、十分な加湿能力を保持したままでシステムを小型化、低コストとすることができる。また、循環手段の送出量を制御して、酸化剤ガスの加湿器の出口温度を目標温度に調整することにより酸化剤ガスを所望の湿度とするので、確実かつ的確に湿度を調整でき、さらに雰囲気温度の変動など外乱の影響を低減し、かつ、フラッディングを確実に防止することができる。
【００２５】
上記のように構成した請求項８に係る発明においては、請求項１乃至請求項７の何れか一項に係る発明において、熱媒体循環回路上に設けられ加湿器をバイパスするバイパス路と、加湿器を流れる熱媒体の流量と加湿器をバイパスしてバイパス路を流れる熱媒体の流量を調整する流量調整手段とをさらに備えているため、加湿に必要十分な熱量に相当する流量となるように熱媒体を加湿器に供給することができるので、酸化剤ガスを最適加湿することができる。また、熱媒体を必要以上に加湿器に供給しないので、熱媒体の温度を必要以上に冷却することを抑制し熱媒体温度を高温に維持して燃料電池システムの熱回収効率を高く維持することができる。
【発明を実施するための最良の形態】
【００２６】
１）第１実施形態
以下、本発明による燃料電池システムの第１実施形態について説明する。図１はこの燃料電池システムの概要を示す概要図である。この燃料電池システムは燃料電池１０とこの燃料電池１０に必要な水素ガスを含む改質ガス（燃料ガス）を生成する改質器２０を備えている。
【００２７】
燃料電池１０は、燃料極１１と酸化剤極である空気極１２と両極１１，１２間に介在された電解質１３を備えており、燃料極１１に供給された改質ガスおよび空気極１２に供給された酸化剤ガスである空気（カソードエア）を用いて発電するものである。燃料電池１０の空気極１２には、空気を供給する供給管６１およびカソードオフガスを排出する排出管６２が接続されており、供給管６１の途中には、空気を加湿するための加湿器１４（後述する）が設けられている。なお、空気の代わりに空気の酸素富化したガスを供給するようにしてもよい。
【００２８】
改質器２０は、燃料を水蒸気改質し、水素リッチな改質ガスを燃料電池１０に供給するものであり、燃焼器であるバーナ２１、改質部２２、一酸化炭素シフト反応部（以下、ＣＯシフト部という）２３および一酸化炭素選択酸化反応部（以下、ＣＯ選択酸化部という）２４から構成されている。燃料としては天然ガス、ＬＰＧ、灯油、ガソリン、メタノールなどがあり、本実施の形態においては天然ガスにて説明する。
【００２９】
バーナ２１は、起動時に外部から燃焼用燃料および燃焼用空気が供給され、または定常運転時に燃料電池１０の燃料極１１からアノードオフガス（燃料電池に供給され使用されずに排出された改質ガス）が供給され、供給された各ガスを燃焼して燃焼ガスを改質部２２に導出するものである。この燃焼ガスは改質部２２を（同改質部２２の触媒の活性温度域となるように）加熱し、その後燃焼ガス用凝縮器３４を通ってその燃焼ガス（燃焼排ガス）に含まれている水蒸気が凝縮されて外部に排気される。
【００３０】
改質部２２は、外部から供給された燃料に蒸発器２５からの水蒸気（改質水）を混合した混合ガスを改質部２２に充填された触媒により改質して水素ガスと一酸化炭素ガスを生成している（いわゆる水蒸気改質反応）。これと同時に、水蒸気改質反応にて生成された一酸化炭素と水蒸気を水素ガスと二酸化炭素とに変成している（いわゆる一酸化炭素シフト反応）。これら生成されたガス（いわゆる改質ガス）はＣＯシフト部２３に導出される。
【００３１】
ＣＯシフト部２３は、この改質ガスに含まれる一酸化炭素と水蒸気をその内部に充填された触媒により反応させて水素ガスと二酸化炭素ガスとに変成している。これにより、改質ガスは一酸化炭素濃度が低減されてＣＯ選択酸化部２４に導出される。
【００３２】
ＣＯ選択酸化部２４は、改質ガスに残留している一酸化炭素と外部からさらに供給されたＣＯ酸化用の空気（エア）とをその内部に充填された触媒により反応させて二酸化炭素を生成している。これにより、改質ガスは一酸化炭素濃度がさらに低減されて（１０ｐｐｍ以下）燃料電池１０の燃料極１１に導出される。
【００３３】
蒸発器２５は、一端が貯水器５０内に配置され他端が改質部２２に接続された改質水供給管６８の途中に配設されている。改質水供給管６８には改質水ポンプ５３が設けられている。このポンプ５３は制御装置９０によって制御されており、貯水器５０内の改質水として使用する回収水を蒸発器２５に圧送している。蒸発器２５は例えばバーナ２１から排出される燃焼ガス、改質部２２、ＣＯシフト部２３などの熱によって加熱されており、これにより圧送された改質水を水蒸気化する。
【００３４】
改質器２０のＣＯ選択酸化部２４と燃料電池１０の燃料極１１とを連通する配管６４の途中には、凝縮器３０が設けられている。この凝縮器３０（図面上は分離しているが）は改質ガス用凝縮器３１、アノードオフガス用凝縮器３２、カソードオフガス用凝縮器３３および燃焼ガス用凝縮器３４が一体的に接続された一体構造体である。改質ガス用凝縮器３１は配管６４中を流れる燃料電池１０の燃料極１１に供給される改質ガス中の水蒸気を凝縮する。アノードオフガス用凝縮器３２は、燃料電池１０の燃料極１１と改質器２０のバーナ２１とを連通する配管６５の途中に設けられており、その配管６５中を流れる燃料電池１０の燃料極１１から排出されるアノードオフガス中の水蒸気を凝縮する。カソードオフガス用凝縮器３３は、排出管６２の加湿器１４の下流に設けられており、その排出管６２中を流れる燃料電池１０の空気極１２から排出されるカソードオフガス中の水蒸気を凝縮する。燃焼ガス用凝縮器３４はバーナ２１の下流に設けられており、燃焼排ガスの顕熱とともに水蒸気を凝縮させた潜熱を回収する。
【００３５】
上述した凝縮器３１〜３４は配管６６を介して純水器４０に連通しており、各凝縮器３１〜３４にて凝縮された凝縮水は、純水器４０に導出され回収されるようになっている。純水器４０は、凝縮器３０から供給された凝縮水すなわち回収水を内蔵のイオン交換樹脂によって純水にするものであり、純水化した回収水を貯水器５０に導出するものである。なお、貯水器５０は純水器４０から導出された回収水を改質水として一時的に溜めておくものである。また、純水器４０には水道水供給源（例えば水道管）から供給される補給水（水道水）を導入する配管が接続されており、純水器４０内の貯水量が下限水位を下回ると水道水が供給されるようになっている。
【００３６】
燃料電池システムは、貯湯水を貯湯する貯湯槽７１と、凝縮冷媒循環回路７５とは独立して設けられ貯湯水が循環する貯湯水循環回路７２と、燃料電池１０と熱交換する燃料電池熱媒体が循環する燃料電池熱媒体循環回路であるＦＣ冷却水循環回路７３と、貯湯水と燃料電池熱媒体との間で熱交換が行われる第２熱交換器７６と、燃料電池１０から排出される排熱および／または改質器２０にて発生する排熱を少なくとも回収した液体である熱媒体（凝縮冷媒）が循環する熱媒体循環回路である凝縮冷媒循環回路７５と、貯湯水と凝縮冷媒との間で熱交換が行われる第１熱交換器７４と、が備えられている。これにより、燃料電池１０の発電にて発生した排熱（熱エネルギー）は、ＦＣ冷却水に回収され、第２熱交換器７６を介して貯湯水に回収されて、この結果貯湯水を加熱（昇温）する。また、燃料電池１０から排出されるオフガスの排熱（熱エネルギー）および改質器２０にて発生した排熱（熱エネルギー）は、凝縮器３０を介して凝縮冷媒に回収され、第１熱交換器７４を介して貯湯水に回収されて、この結果貯湯水を加熱（昇温）する。なお、本明細書中および添付の図面中の「ＦＣ」は「燃料電池」の省略形として記載している。
【００３７】
貯湯槽７１は、１つの柱状容器を備えており、その内部に温水が層状に、すなわち上部の温度が最も高温であり下部にいくにしたがって低温となり下部の温度が最も低温であるように貯留されるようになっている。貯湯槽７１の柱状容器の下部には水道水などの水（低温の水）が補給され、貯湯槽７１に貯留された高温の温水が貯湯槽７１の柱状容器の上部から導出されるようになっている。また、貯湯槽７１は密閉式であり、水道水の圧力がそのまま内部、ひいては貯湯水循環回路７２にかかる形式のものである。
【００３８】
貯湯水循環回路７２の一端および他端は貯湯槽７１の下部および上部に接続されている。貯湯水循環回路７２上には、一端から他端に順番に貯湯水循環手段である貯湯水循環ポンプＰ１、第１熱交換器７４、および第２熱交換器７６が配設されている。貯湯水循環ポンプＰ１は、貯湯槽７１の下部の貯湯水を吸い込んで貯湯水循環回路７２を通水させて貯湯槽７１の上部に吐出するものであり、制御装置９０によって制御されてその流量（送出量）が制御されるようになっている。
【００３９】
ＦＣ冷却水循環回路７３上には、ＦＣ冷却水循環手段であるＦＣ冷却水循環ポンプＰ３が配設されており、このＦＣ冷却水循環ポンプＰ３は、制御装置９０によって制御されてその流量（送出量）が制御されるようになっている。また、ＦＣ冷却水循環回路７３上には、第４および第５温度センサ７３ａ，７３ｂが配設されており、第４および第５温度センサ７３ａ，７３ｂは、それぞれＦＣ冷却水の燃料電池１０の入口温度Ｔ４および出口温度Ｔ５を検出し、それら検出結果を制御装置９０に出力するものである。さらに、ＦＣ冷却水循環回路７３上には第２熱交換器７６が配設されている。
【００４０】
凝縮冷媒循環回路７５上には、凝縮冷媒循環手段である凝縮冷媒循環ポンプＰ２が配設されており、この凝縮冷媒循環ポンプＰ２は、制御装置９０によって制御されてその流量（送出量）が制御されるようになっている。また、凝縮冷媒循環回路７５上には、上流から順番にアノードオフガス用凝縮器３２、燃焼ガス用凝縮器３４、カソードオフガス用凝縮器３３および改質ガス用凝縮器３１が配設されている。また、凝縮冷媒循環回路７５上には、第２および第３温度センサ７５ａ，７５ｂが配設されている。第２温度センサ７５ａは、加湿器１４の凝縮冷媒入口温度Ｔ２を検出し、その検出結果を制御装置９０に出力するものである。第３温度センサ７５ｂは、加湿器１４の凝縮冷媒出口温度Ｔ３を検出し、その検出結果を制御装置９０に出力するものである。さらに、凝縮冷媒循環回路７５上には第１熱交換器７４が配設されている。なお、各凝縮器３１〜３４の配置は上述した順番に限らないし、また、各凝縮器３１〜３４は一本の配管に直列に配置する場合に限らず、凝縮冷媒循環回路７５を複数に分岐して各分岐路に並列に配置するようにしてもよい。また、凝縮冷媒循環回路７５上には少なくとも改質ガス用凝縮器３１が配置されるようになっている。
【００４１】
また、凝縮冷媒循環回路７５には、第１熱交換器７４の直下流に凝縮冷媒を冷却する冷却手段であるラジエータ７７が配置されている。ラジエータ７７は、制御装置９０の指令によってオン・オフ制御されており、オン状態のときには凝縮冷媒を冷却し、オフ状態のときには冷却しない。
【００４２】
さらに、凝縮冷媒循環回路７５には、改質ガス用凝縮器３１の下流、かつ第１熱交換器７４の上流に加湿器１４が配置されている。この加湿器１４は、水蒸気のみを透過する膜（例えば、中空糸膜、イオン交換膜などの水透過膜）を挟んで水（例えば純水）と加湿したい気体を流通させ水を加湿源として気体を加湿する膜透過型加湿器である。本実施の形態においては、加湿源は凝縮冷媒である純水であり、加湿したい気体はカソードエア（酸化剤ガス）である。このように、液体である熱媒体が加湿源となるので、従来のごとく加湿源がオフガスである場合と比べると、水蒸気分圧を極めて高くかつ一定に維持することができる。これにより、加湿器１４は、回収した熱を利用して熱媒体を水蒸気化することによりカソードエアを加湿する。なお、上述した各凝縮器３１〜３４における各ガスの投入温度は、それぞれ１００℃前後、７０℃前後、７０℃前後、１００℃前後であるので、加湿器１４は、改質ガス用凝縮器３１または燃焼ガス用凝縮器３４の直下流に設けるのが望ましい。また、凝縮器３０（または各凝縮器３１〜３４のいずれか一つ）をバイパスするバイパス路を設け、そのバイパス路に加湿器１４を設けるようにしてもよい。
【００４３】
さらに、凝縮冷媒循環回路７５には、加湿器１４をバイパスするバイパス路７８が設けられるとともに、加湿器１４を流れる熱媒体の流量と加湿器１４をバイパスしてバイパス路７８を流れる熱媒体の流量を調整する流量調整器７９（流量調整手段）が設けられている。バイパス路７８の分岐点から合流点までの凝縮冷媒循環回路７５上には、上流から順番に流量調整器７９である電磁バルブ、加湿器１４および第３温度センサ７５ｂが配設されている。流量調整器（電磁バルブ）７９は、制御装置９０の指令によって凝縮冷媒循環回路７５を開閉するとともに熱媒体の流量を調整するものである。この流量調整器７９は、エアバルブのようなガス系のバルブでなく、水系のバルブである。
【００４４】
燃料電池１０から排出される排熱には、燃料電池１０から排出されるオフガス（アノードおよびカソードオフガス）の排熱だけでなく、燃料電池１０の発電で発生する排熱が含まれている。燃料電池１０の発電で発生する排熱は、燃料電池１０のＦＣ冷却水を介する排熱であり、ＦＣ冷却水、第２熱交換器７６、貯湯水および第１熱交換器７４を介して凝縮冷媒に熱を与えている（凝縮冷媒に回収されている）。また、改質器２０にて発生する排熱には、改質ガスの排熱、バーナ２１からの燃焼排ガスの排熱、および改質器２０と熱交換する排熱（改質器自身の排熱）が含まれている。
【００４５】
また、凝縮冷媒循環回路７５には凝縮冷媒として純水を流通（使用）している。凝縮冷媒循環回路７５上には、補給器７５ｃが配設されている。この補給器７５ｃは貯水器５０内の純水を給水管６７を介して凝縮冷媒循環回路７５に自動的に補給するものであり、例えば、自動車のエンジンのラジエータに設けられているラジエータキャップと同様な構造をしている。これにより、加湿によって凝縮冷媒循環回路７５の純水が低減しても、自動的に純水を補給することができる。また、当該燃料電池システムで使用される純水を利用している。
【００４６】
また、供給管６１には、第１温度センサ６１ａが配設されており、第１温度センサ６１ａは、加湿器１４のカソードエア出口温度Ｔ１を検出し、その検出結果を制御装置９０に出力するものである。
【００４７】
また、上述した各温度センサ６１ａ，７３ａ，７３ｂ，７５ａ，７５ｂ、各ポンプＰ１〜Ｐ３，５３、および流量調整器７９は制御装置９０に接続されている（図２参照）。制御装置９０はマイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、図３のフローチャートに対応したプログラムを実行して、各温度センサ６１ａ，７３ａ，７３ｂ，７５ａ，７５ｂが検出した温度に基づいて各ポンプＰ１〜Ｐ３、流量調整器７９を制御して燃料電池１０を適切に制御している。ＲＡＭは同プログラムの実行に必要な変数を一時的に記憶するものであり、ＲＯＭは前記プログラムを記憶するものである。
【００４８】
次に、上述した燃料電池システムの作動について図３に示したフローチャートを参照しながら説明する。制御装置９０は、図示しないスタートスイッチがオンされると、所定の短時間毎に、上記フローチャートに対応したプログラムを繰り返し実行する。制御装置９０は、図９のステップ１００にてプログラムの実行を開始する毎に、加湿器１４の凝縮冷媒入口温度Ｔ２（または加湿器１４の凝縮冷媒出口温度Ｔ３）を第２温度センサ７５ａ（または第３温度センサ７５ｂ）によって検出し（ステップ１０２）、検出した加湿器１４の凝縮冷媒入口温度Ｔ２（または加湿器１４の凝縮冷媒出口温度Ｔ３）が目標温度Ｔ２＊となるように凝縮冷媒循環ポンプＰ２を流量制御している（ステップ１０４）。目標温度Ｔ２＊は、熱回収効率等から決定される目標値である。
【００４９】
制御装置９０は、燃料電池１０のＦＣ冷却水入口温度Ｔ４およびＦＣ冷却水出口温度Ｔ５をそれぞれ第４および第５温度センサ７３ａ，７３ｂによって検出し（ステップ１０６）、検出した燃料電池１０のＦＣ冷却水入口温度Ｔ４（または燃料電池１０のＦＣ冷却水出口温度Ｔ５）が目標温度Ｔ４＊（またはＴ５＊）となるように貯湯水循環ポンプＰ１を流量制御している（ステップ１０８）。目標温度Ｔ４＊およびＴ５＊は、燃料電池１０の最適運転温度である。
【００５０】
そして、制御装置９０は、燃料電池１０のＦＣ冷却水入口温度Ｔ４およびＦＣ冷却水出口温度Ｔ５の差ΔＴを算出し（ステップ１１０）、その差ΔＴが所定温度差ΔＴ＊（例えば３〜５℃）となるようにＦＣ冷却水循環ポンプＰ３を流量制御している。所定温度差ΔＴ＊は、燃料電池１０の改質ガス流路または空気流路内の水蒸気を最適加湿条件に維持することができるように設定されている。その後、プログラムをステップ１１４に進めて一旦終了する。
【００５１】
また、制御装置９０は、上述した制御と並行に、加湿器１４のカソードエア出口温度Ｔ１が目標温度Ｔ１＊となるように流量調整器７９を制御して加湿器１４への凝縮冷媒の流量を制御している。これにより、加湿に必要十分な熱量に相当する流量となるように凝縮冷媒を加湿器１４に供給することができるので、カソードエアを最適加湿することができる。なお、加湿量は燃料電池１０の出力電流、カソードエア流量、カソードオフガス出口温度（水蒸気量）にて決定される。また、凝縮冷媒を必要以上に加湿器１４に供給しないので、凝縮冷媒の温度を必要以上に冷却することを抑制し凝縮冷媒温度を高温に維持してその熱を第１熱交換器７４を介して貯湯水に回収することができ、燃料電池システムの熱回収効率を高く維持することができる。
【００５２】
上述の説明から明らかなように、この実施の形態においては、加湿器１４は、燃料電池１０から排出される排熱および／または改質器２０にて発生する排熱を少なくとも回収した熱媒体が循環する凝縮冷媒循環回路７５上に設けられ、回収した熱を利用して熱媒体を水蒸気化することにより酸化剤ガスを加湿する。これにより、燃料電池１０の発電による排熱を回収した燃料電池熱媒体から熱を奪うことなく、熱回収効率の低下を招くことなく、燃料電池１０を適切な温度に制御でき、適切に発電することができるとともに、酸化剤ガスを加湿することができる。また、液体である熱媒体が加湿源となるので、従来のごとく加湿源がオフガスである場合と比べると、水蒸気分圧を極めて高く維持することができるので、水蒸気化する部位の面積を小さくすることができ、装置を小型化することができる。また水蒸気分圧を一定に維持することができるので、加湿性能の精度向上、加湿能力の安定性、応答性向上を図ることができる。
【００５３】
また、流量調整器７９としては、エアバルブのようなガス系のバルブでなく、水系のバルブを使用することができるので、すなわち従来技術のごとく流量の多いガス系のバルブを使用する場合と比べて、流量が少なくてすむ小型で低コストである水系のバルブを使用することができるので、燃料電池システムの小型化、低コスト化を図ることができる。また、小型化という観点から、ガス系のバルブを小型化するという考えもあるが、そうすると圧損が大きくなり高発電効率が要求される燃料電池システムにおいては好ましくない。したがって、高発電効率の観点からも水系のバルブを使用するメリットがある。
【００５４】
また、燃料電池１０から排出される排熱および／または改質器２０にて発生する排熱が、燃料電池１０から排出されるオフガス、改質器２０で生成された燃料ガス、改質器２０のバーナ２１から排出される燃焼排ガスの少なくとも一つのガス中の水蒸気を凝縮させたときに発生する凝縮熱であるので、従来の構成を有効利用することにより大型化することなく簡単な構成かつ確実に凝縮熱を利用して熱媒体を水蒸気化することができる。
【００５５】
また、凝縮冷媒循環回路７５の熱媒体として、燃料電池１０から排出されるオフガス、改質器２０で生成された燃料ガス、改質器２０のバーナ２１から排出される燃焼排ガスの少なくとも一つのガスから回収した凝縮水を利用することにより、凝縮水を加湿水として利用するので、加湿で使用した水量を各ガス中の水蒸気を凝縮した水量でまかなうことができるため、外部から大量に水を投入することなく加湿が可能となる。
【００５６】
また、貯湯水を貯湯する貯湯槽７１と、凝縮冷媒循環回路７５とは独立して設けられ、貯湯水が循環する貯湯水循環回路７２と、貯湯水と熱媒体との間で熱交換が行われる第１熱交換器７４と、をさらに備えることにより、貯湯槽７１が水道水が直接補給される密閉式である場合、貯湯槽７１、貯湯水循環回路７２には高圧の水道水圧がかかるが、凝縮冷媒循環回路７５は貯湯水循環回路７１から独立しているため、凝縮冷媒循環回路７５上に配設される加湿器１４には直接水道水圧がかからないので、加湿器１４の寿命を延ばすことができる。また、熱媒体として純水を使用するので、加湿器１４や燃料電池１０に不純物や異物が混入することを抑止でき、これによって加湿器１４や燃料電池１０の寿命を延ばすことができる。
【００５７】
また、熱媒体として当該燃料電池システムで使用される純水を利用し、凝縮冷媒循環回路７５に純水が自動的に補給可能な構成となっているため、加湿によって熱媒体が少なくなったとき、自動的に補給されるので、ユーザが加湿用の液体を補給する手間を省くことができる。
【００５８】
また、上述した第１実施形態においては、凝縮冷媒循環ポンプＰ２の送出量を制御して、熱媒体の温度Ｔ２を目標温度Ｔ２＊に調整することにより、凝縮器３０の熱回収効率を向上することができるとともに、流量調整器７９を制御し加湿器１４への凝縮冷媒の流量を制御して、加湿器１４のカソードエア出口温度Ｔ１を目標温度Ｔ１＊に調整することにより、カソードエアの加湿を最適に制御することができる。
【００５９】
なお、上述した第１実施形態においては、凝縮冷媒として凝縮器３０にて回収された凝縮水を使用したが、これに限らず、燃料電池システムで使用される純水を使用するようにしてもよい。
【００６０】
また、上述した第１実施形態においては、凝縮冷媒として純水器４０により精製した純水を用いるようにしたが、これに限らず、凝縮器３０にて回収された凝縮水を直接使用するようにしてもよい。
【００６１】
また、上述した第１実施形態においては、バイパス路７８および流量調整器７９を設けないようにしてもよい。この場合、凝縮冷媒循環回路７５上に設けられ熱媒体を循環する循環手段である凝縮冷媒循環ポンプＰ２の送出量を制御して、カソードエア出口温度Ｔ１を目標温度Ｔ１＊に調整することにより酸化剤ガス（カソードエア）を所望の湿度とする。すなわち、加湿器１４のカソードエア出口温度Ｔ１を第１温度センサ６１ａによって検出し、検出した加湿器１４のカソードエア出口温度Ｔ１が目標温度Ｔ１＊となるように凝縮冷媒循環ポンプＰ２を流量制御する。これにより、確実かつ的確に酸化剤ガスの湿度を保持したままシステムを小型化、低コストとすることができる。
【００６２】
さらに、この実施の形態においては、加湿器１４のカソードエア出口温度Ｔ１を第１温度センサ６１ａによって検出し、検出した加湿器１４のカソードエア出口温度Ｔ１が目標温度Ｔ１＊となるように凝縮冷媒循環ポンプＰ２を流量制御するようにしたが、これに代えて、加湿器１４のカソードエア出口温度Ｔ１と相関関係があると考えられるその他の温度例えば熱媒体の温度Ｔ２またはＴ３を目標温度Ｔ２＊またはＴ３＊となるように凝縮冷媒循環ポンプＰ２を流量制御するようにしてもよい。すなわち、加湿器１４の凝縮冷媒入口温度Ｔ２（または加湿器１４の凝縮冷媒出口温度Ｔ３）を第２温度センサ７５ａ（または第３温度センサ７５ｂ）によって検出し（ステップ１０２）、検出した加湿器１４の凝縮冷媒入口温度Ｔ２（または加湿器１４の凝縮冷媒出口温度Ｔ３）が目標温度Ｔ２＊（またはＴ３＊）となるように凝縮冷媒循環ポンプＰ２を流量制御する。これによれば、凝縮冷媒温度を凝縮冷媒循環ポンプＰ２の制御対象としているので、制御性を向上できる。
【００６３】
２）第２実施形態
次に、本発明による燃料電池システムの第２実施形態について説明する。図４は第２実施形態にかかる燃料電池システムのうち貯湯水循環回路７２、ＦＣ冷却水循環回路７３および凝縮冷媒循環回路７５の周辺の概要を示す概要図である。上述した第１実施形態においては、第２熱交換器７６は貯湯水循環回路７２に設けられていたが、図４に示すように本第２実施形態においては、第２熱交換器７６は凝縮冷媒循環回路７５に設けられている。なお、第１実施形態と同一の構成部材については同一符号を付してその説明を省略する。これによれば、凝縮冷媒循環回路７５上に、燃料電池１０と熱交換する燃料電池冷却水と熱媒体との間で熱交換が行われる第２熱交換器７６を設けたため、燃料電池１０から排出される排熱および／または改質器２０にて発生する排熱を少なくとも回収した熱媒体は、燃料電池１０の発電による排熱をさらに回収するので、より高温の熱媒体となり、この高温の熱媒体を加湿器１４で利用できる。このため、加湿制御範囲をより拡張し、制御性をより向上することができる。
【００６４】
なお、この場合、凝縮冷媒循環回路７５に、加湿器１４をバイパスするバイパス路７８を設けるとともに、加湿器１４を流れる熱媒体の流量と加湿器１４をバイパスしてバイパス路７８を流れる熱媒体の流量を調整する流量調整器７９を設けるのが望ましい。流量調整器７９としては、バイパス路７８の分岐点に流量比制御可能な三方弁７９を設けるのが望ましい。この場合、凝縮冷媒循環ポンプＰ２の送出量を制御して、熱媒体の温度Ｔ２を目標温度Ｔ２＊に調整することにより、凝縮器３０の熱回収効率を向上することができるとともに、流量調整器７９を制御し加湿器１４への凝縮冷媒の流量を制御して、加湿器１４のカソードエア出口温度Ｔ１を目標温度Ｔ１＊に調整することにより、カソードエアの加湿を最適に制御することができる。また、貯湯水循環ポンプＰ１を流量制御して、燃料電池１０のＦＣ冷却水入口温度Ｔ４（または燃料電池１０のＦＣ冷却水出口温度Ｔ５）を目標温度Ｔ４＊（またはＴ５＊）に調節する。これにより、加湿器１４への凝縮冷媒の流量を確実に制御することができ、より的確にカソードエアを加湿することができる。また、第２熱交換機７６の配置場所は、加湿器１４の下流でもよい。
【００６５】
３）第３実施形態
次に、本発明による燃料電池システムの第３実施形態について説明する。図５は第３実施形態にかかる燃料電池システムの概要を示す概要図である。上述した第１実施形態においては、貯湯水循環回路７２と凝縮冷媒循環回路７５とを独立して設けたが、図５に示すように本第３実施形態においては、これら循環回路７２，７５を一つの循環回路（貯湯水循環回路７２）としている。この場合、第１熱交換器７４、凝縮冷媒循環ポンプＰ２は削除され、貯湯水循環回路７２上には、貯湯槽７１の出口から下流に順番に、貯湯水循環ポンプＰ１、ラジエータ７７、各凝縮器３２，３４，３３，３１、第２熱交換器７６、第２温度センサ７５ａ、加湿器１４、および第３温度センサ７５ｂが配設されている。また、この場合、貯湯水循環回路７２に加湿器１４をバイパスするバイパス路７８を設けるとともに、加湿器１４を流れる熱媒体の流量と加湿器１４をバイパスしてバイパス路７８を流れる熱媒体の流量を調整する流量調整器７９を設けている。流量調整器７９としては、第２実施形態と同様にバイパス路７８の分岐点に流量比制御可能な三方弁７９を設けるのが望ましい。なお、第１実施形態と同一の構成部材については同一符号を付してその説明を省略する。
【００６６】
この場合、制御装置９０は、第４温度センサ７３ａ（または第５温度センサ７３ｂ）によって検出した燃料電池１０のＦＣ冷却水入口温度Ｔ４（または燃料電池１０のＦＣ冷却水出口温度Ｔ５）が目標温度Ｔ４＊（またはＴ５＊）となるように貯湯水循環ポンプＰ１を流量制御する。また、制御装置９０は、燃料電池１０のＦＣ冷却水入口温度Ｔ４およびＦＣ冷却水出口温度Ｔ５の差ΔＴを算出し、その差ΔＴが所定温度差ΔＴ＊（例えば３〜５℃）となるようにＦＣ冷却水循環ポンプＰ３を流量制御する。
【００６７】
さらに、制御装置９０は、加湿器１４のカソードエア出口温度Ｔ１が目標温度Ｔ１＊となるように流量調整器７９を制御して加湿器１４への貯湯水の流量を制御している。これにより、加湿に必要十分な熱量に相当する流量となるように貯湯水を加湿器１４に供給することができるので、カソードエアを最適加湿することができる。なお、加湿器１４のカソードエア出口温度Ｔ１と相関関係があると考えられるその他の温度例えば熱媒体の温度Ｔ３を目標温度Ｔ３＊となるように流量調整器７９を制御して加湿器１４への貯湯水の流量を制御するようにしてもよい。
【００６８】
これによれば、貯湯水を貯湯する貯湯槽７１をさらに備え、熱媒体循環回路である貯湯水循環回路７２には熱媒体として貯湯水が循環する。これにより、燃料電池１０の発電による排熱を回収した燃料電池熱媒体から熱を奪うことなく、熱回収効率の低下を招くことなく、燃料電池１０を適切な温度に制御でき、適切に発電することができるとともに、酸化剤ガスを加湿することができる。また、液体である熱媒体が加湿源となるので、従来のごとく加湿源がオフガスである場合と比べると、水蒸気分圧を極めて高く維持することができるので、水蒸気化する部位の面積を小さくすることができ、装置を小型化することができる。また水蒸気分圧を一定に維持することができるので、加湿性能の精度向上、加湿能力の安定性、応答性向上を図ることができる。
【００６９】
また、熱媒体循環回路である貯湯水循環回路７２上に、燃料電池１０と熱交換する燃料電池冷却水と熱媒体との間で熱交換が行われる第２熱交換器７６を設けたため、燃料電池１０から排出される排熱および／または改質器２０にて発生する排熱を少なくとも回収した熱媒体は、燃料電池１０の発電による排熱をさらに回収するので、より高温の熱媒体となり、この高温の熱媒体を加湿器１４で利用できる。このため、加湿制御範囲をより拡張し、制御性をより向上することができる。なお、第２熱交換機７６の配置場所は、加湿器１４の下流でもよい。
【図面の簡単な説明】
【００７０】
【図１】本発明による燃料電池システムの第１実施形態の概要を示す概要図である。
【図２】図１に示す燃料電池システムを示すブロック図である。
【図３】図２に示した制御装置にて実行される制御プログラムのフローチャートである。
【図４】本発明による燃料電池システムの第２実施形態の主要部分の概要を示す概要図である。
【図５】本発明による燃料電池システムの第３実施形態の概要を示す概要図である。
【符号の説明】
【００７１】
１０…燃料電池、１１…燃料極、１２…空気極、１３…電解質、１４…加湿器、２０…改質器、２１…バーナ、２２…改質部、２３…一酸化炭素シフト反応部（ＣＯシフト部）、２４…一酸化炭素選択酸化反応部（ＣＯ選択酸化部）、２５…蒸発器、３０…凝縮器、３１…改質ガス用凝縮器、３２…アノードオフガス用凝縮器、３３…カソードオフガス用凝縮器、３４…燃焼ガス用凝縮器、４０…純水器、５０…貯水器、５３…改質水ポンプ、６１〜６６…配管、６７…給水管、６８…改質水供給管、７１…貯湯槽、７２…貯湯水循環回路、７３…ＦＣ冷却水循環回路、７４…第１熱交換器、７５…凝縮冷媒循環回路、７５ｃ…補給器、７６…第２熱交換器、７７…ラジエータ、７８…バイパス路、７９…三方弁、Ｐ１〜Ｐ３，５３…ポンプ、６１ａ、７５ａ，７５ｂ，７３ａ，７３ｂ…第１〜第５温度センサ、９０…制御装置。
【図１】
2006236758.tif 000003
【図２】
2006236758.tif 000004
【図３】
2006236758.tif 000005
【図４】
2006236758.tif 000006
【図５】
2006236758.tif 000007